(57)【要約】【課題】清掃性を確保した洗濯乾燥機を提供する。【解決手段】洗濯乾燥機（ドラム式洗濯機１）は、対象物を乾燥させる乾燥風が通る送風路と、前記送風路の経路上に着脱自在に配置され、かつ、埃を捕集する乾燥フィルタユニットと、前記乾燥フィルタユニットを取り付けるための取付部と、を備え、前記取付部は、乾燥風が流入する流入口と、前記乾燥フィルタユニットからの乾燥風を下流側のヒータへと流出させる流出口と、備え、前記流出口は、埃を捕集し、筐体に側に固定された固定フィルタが設けられ、前記固定フィルタの内壁面を覆うように内部フィルタが着脱可能に設けられている。【選択図】図３Ｂ
2019037604.tif 000002
【特許請求の範囲】
【請求項１】
対象物を乾燥させる乾燥風が通る送風路と、
前記送風路の経路上に着脱自在に配置され、かつ、埃を捕集する乾燥フィルタユニットと、
前記乾燥フィルタユニットを取り付けるための取付部と、を備え、
前記取付部は、乾燥風が流入する流入口と、前記乾燥フィルタユニットからの乾燥風を下流側のヒータへと流出させる流出口と、備え、
前記流出口は、埃を捕集し、筐体に側に固定された固定フィルタが設けられ、
前記固定フィルタの内壁面を覆うように内部フィルタが着脱可能に設けられていることを特徴とする洗濯乾燥機。
【請求項２】
請求項１に記載の洗濯乾燥機において、
前記内部フィルタのフィルタは、前記固定フィルタ１のフィルタよりも網目が細かくなっていることを特徴とする洗濯乾燥機。
【発明の詳細な説明】
【技術分野】
【０００１】
本発明は、洗濯乾燥機に関する。
【背景技術】
【０００２】
特許文献１には、洗濯乾燥機として、フィルタ部を送風路から着脱可能に構成するとともに、フィルタ近傍にクリーニング機構を設けた構成が記載されている。
【先行技術文献】
【特許文献】
【０００３】
【特許文献１】実開昭６０−１７９２９６号公報
【発明の概要】
【発明が解決しようとする課題】
【０００４】
しかしながら、特許文献１に記載された従来の洗濯乾燥機は、筐体側のフィルタの清掃性は考慮されていない。
本発明は、前記した課題を解決するためになされたものであり、清掃性を確保した洗濯乾燥機を提供することを主な目的とする。
【課題を解決するための手段】
【０００５】
前記目的を達成するため、本発明は、洗濯乾燥機であって、洗対象物を乾燥させる乾燥風が通る送風路と、前記送風路の経路上に着脱自在に配置され、かつ、埃を捕集する乾燥フィルタユニットと、前記乾燥フィルタユニットを取り付けるための取付部と、を備え、前記取付部は、乾燥風が流入する流入口と、前記乾燥フィルタユニットからの乾燥風を下流側のヒータへと流出させる流出口と、備え、前記流出口は、埃を捕集し、筐体に側に固定された固定フィルタが設けられ、前記固定フィルタの内壁面を覆うように内部フィルタが着脱可能に設けられている。
その他の手段は、後記する。
【発明の効果】
【０００６】
本発明によれば、清掃性を確保した洗濯乾燥機を提供することができる。
【図面の簡単な説明】
【０００７】
【図１】本実施形態に係る洗濯乾燥機の適用例としてのドラム式洗濯機の分解斜視図である。
【図２】本実施形態に係る洗濯乾燥機の適用例としてのドラム式洗濯機の外観斜視図である。
【図３Ａ】乾燥フィルタユニットとその取付部の構成図である。
【図３Ｂ】取付部の概略斜視図である。
【図３Ｃ】取付部の部分断面図である。
【図３Ｄ】取付部の固定フィルタと内部フィルタとの間の封止状態の説明図である。
【図４】乾燥フィルタユニットの外観斜視図である。
【図５】乾燥フィルタユニットのフタ部とフィルタ部の動作説明図である。
【図６】乾燥フィルタユニットの部分断面図である。
【図７】乾燥フィルタユニットの部分断面図である。
【図８】乾燥フィルタユニットのフタ部とフィルタ部との間の封止状態の説明図である。
【図９】乾燥フィルタユニットのフタ部の構成図である。
【図１０】乾燥フィルタユニットのフィルタ部の構成図である。
【図１１】乾燥フィルタユニットの押付機構の動作原理を示す模式図である。
【図１２】パッキンとリブとの封止状態の説明図である。
【図１３】比較例のパッキンとリブとの封止状態の説明図である。
【図１４】変形例に係る封止構造の模式図である。
【発明を実施するための形態】
【０００８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【０００９】
＜洗濯乾燥機の全体構成＞
図１は、本実施形態に係る洗濯乾燥機の適用例としてのドラム式洗濯機の分解斜視図である。なお、本実施形態では、筺体内部の、洗濯機を制御するメイン基板ユニット、洗濯水を循環させる循環手段（配管、ポンプ）、対象物（布類）を乾燥させる乾燥風を循環させる乾燥手段、配管等の構成については図示を省略している。
【００１０】
図１に示すように、ドラム式洗濯機１は、本実施形態に係るドラム式の洗濯乾燥機が一体に組み込まれた洗濯機であり、筐体１内に弾性支持された外槽３と、この外槽３内に回転自在に支持された回転ドラム（内槽）４と、外槽３および回転ドラム４を収容する筐体１０と、を備えて構成されている。
【００１１】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。また、外槽３（外槽カバー３ｂ）の開口部３ｓには、ゴム製のベローズ（不図示）が取り付けられ、ドア２５を閉じることで外槽３を水封するようになっている。また、外槽３は、ダンパ５を介して弾性支持されている。
【００１２】
回転ドラム４は、回転可能に支持された円筒状の洗濯兼脱水槽であり、その外周壁に通水および通風のための多数の貫通孔４ａが形成され、前側端面には、洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ４ｃが設けられている。なお、回転ドラム４の回転中心軸は、略水平又は開口部４ｂ側が高くなるように傾斜している。
【００１３】
筐体１０は、板金（金属、カラー鋼板）をプレス加工等によって、正面に配置される前面パネル（前板）１１と、左右の側面に配置される側面パネル（側板）１４Ａ，１４Ｂと、を有している。また、筐体１０は、板金をプレス加工等によって、上面視において略コ字状に形成されて背面に配置される背面パネル（背板）１６と、外槽３の底側に配置されるベース１７と、外槽３の上方に配置される上面パネル（上板、トップパネル）１８と、を有している。
【００１４】
前面パネル１１は、正面上部に配置される前面上パネル１２と、正面下部に配置される前面下パネル１３と、を有している。前面上パネル１２は、一枚の板金で形成され、正面側を向く平坦部１２ａと、この平坦部１２ａの左右両側において湾曲する湾曲部１２ｂ，１２ｃを有している。前面下パネル１３は、一枚の板金で形成され、前面上パネル１２よりも上下方向に短く形成され、正面側を向く平坦部１３ａと、この平坦部１３ａの左右両側において湾曲する湾曲部１３ｂ，１３ｃと、を有している。また、本実施形態では、前面パネル１１を前面上パネル１２と前面下パネル１３とで分割して構成しているが、１枚のパネルで構成されていてもよい。
【００１５】
湾曲部１２ｂ，１２ｃは、前面上パネル１２の上端から下端に向けて同様の湾曲形状を呈するように形成されている。湾曲部１３ｂ，１３ｃは、前面下パネル１３の上端から下端に向けて同様の湾曲形状を呈するように形成されている。また、湾曲部１２ｂ，１２ｃと湾曲部１３ｂ，１３ｃは、互いに同じ湾曲形状である。これにより、前面上パネル１２と前面下パネル１３とを上下に重ねたときに、平坦部１２ａの表面および湾曲部１２ｂ，１２ｃの表面と、平坦部１３ａの表面および湾曲部１３ｂ，１３ｃの表面とが面一となるように構成されている。
【００１６】
前面上パネル１２の平坦部１２ａには、ヒンジを介してドア２５が取り付けられている。前面下パネル１３の平坦部１３ａには、図示しない糸くずフィルタのフィルタ部材を出し入れするためのフタ１３ｄが取り付けられている。
側面パネル１４Ａは、板金をプレス加工等によって形成されたものであり、前面パネル１１と同じ高さに形成され、該側面パネル１４Ａの後端に、内側に湾曲する湾曲部１４ａが形成されている。湾曲部１４ａは、上端から下端に向けて同様の湾曲形状を呈するように形成されている。また、側面パネル１４Ａには、運搬時に使用される手掛け部１４ｂが上下に複数箇所形成され、また補強用の凹部１４ｃが複数形成されている。
【００１７】
側面パネル１４Ｂは、板金をプレス加工等によって形成されたものであり、側面パネル１４Ａと左右対称形状であり、側面パネル１４Ａの湾曲部１４ａ、手掛け部１４ｂおよび凹部１４ｃと同様に、湾曲部１４ａ、手掛け部１４ｂおよびリブ１４ｃが形成されている。
背面パネル１６は、板金をプレス加工等によって形成されたものであり、背面上部に設けられる背面上パネル１６Ａと、背面中央から底部にかけて設けられる背面下パネル１６Ｂと、を備えて構成されている。また、背面上パネル１６Ａおよび背面下パネル１６Ｂは、左右の両端に、側面パネル１４Ａ，１４Ｂ側に向けて湾曲する湾曲部１６ａ，１６ｂが形成されている。
【００１８】
ベース１７は、例えば合成樹脂製であり、内側に格子状のリブが形成されて補強が施されている。また、ベース１７には、側面パネル１４Ａ，１４Ｂの下端がそれぞれネジなどで固定されている。
【００１９】
上面パネル１８は、例えば合成樹脂を成形することで形成され、上面視において略矩形状に形成されている。また、上面パネル１８は、１枚の板状に構成され、前面パネル１１と側面パネル１４Ａ，１４Ｂと背面パネル１６とが連結されて構成された上面開口を塞ぐように構成されている。
【００２０】
また、上面パネル１８には、前後方向の手前左側に洗剤投入部２０、手前右側に操作パネル２２が取り付けられている。
【００２１】
また、筐体１０は、前面上部補強板３１、前面下部補強板３２、上部補強板３５、上部連結補強部３６によって補強されている。
【００２２】
前面上部補強板３１は、側面パネル１４Ａ，１４Ｂに架け渡され、側面パネル１４Ａ，１４Ｂの前面側の上端同士を連結している。すなわち、前面上部補強板３１は、板金をプレス加工等によって形成したものであり、前面に位置して直線状に延びる板部３１ａと、この板部３１ａの左右両端において外槽３側に折り曲げ形成される曲げ部３１ｂ，３１ｃと、を有している。また、板部３１ａには、当該板部３１ａと開口部４ｂとが前後方向において重ならないように切欠部３１ｄが形成されている。
【００２３】
前面下部補強板３２は、側面パネル１４Ａ，１４Ｂに架け渡され、側面パネル１４Ａ，１４Ｂの前面側の下部同士を連結している。すなわち、前面下部補強板３２は、板金をプレス加工等によって形成したものであり、前面に位置して直線状に延びる板部３２ａと、この板部３２ａの左右両端において外槽３側に折り曲げ形成される曲げ部３２ｂ，３２ｃと、を有している。また、板部３２ａには、当該板部３２ａと開口部４ｂとが前後方向において重ならないように切欠部３２ｄが形成されている。
【００２４】
また、前面下部補強板３２は、下部補強支持板３３，３４によって連結されている。下部補強支持板３３は、前面下部補強板３２の曲げ部３２ｂと連結される上部連結部３３ａと、ベース１７に固定される下部連結部３３ｂと、を有している。下部補強支持板３４は、前面下部補強板３２の曲げ部３２ｃと連結される上部連結部３４ａと、ベース１７に固定される下部連結部３４ｂと、を有している。
【００２５】
上部補強板３５は、側面パネル１４Ａ，１４Ｂに架け渡され、側面パネル１４Ａ，１４Ｂの上端縁同士を連結している。すなわち、上部補強板３５は、板金をプレス加工等によって形成したものであり、上面に位置して直線状に延びる板部３５ａと、この板部３５ａの左右両端において外槽３側に折り曲げ形成される曲げ部３５ｂ，３５ｃと、を有している。また、板部３５ａは、図示しないメイン基板ユニットを取り付けるための取付部が板部３５ａの一部を凹状に曲げ形成することで構成されている。
【００２６】
上部連結補強部３６は、上部補強板３５と背面パネル１６とを連結している。また、上部連結補強部３６は、合成樹脂により成型されたものであり、上部補強板３５と背面パネル１６とを図示しないねじを介して結合するものである。また、上部連結補強部３６は、前後方向に延び、かつ、左右方向の中央部に位置するように配置されている。なお、合成樹脂としては、高強度および耐摩耗性に優れた樹脂、具体的にはＰＯＭ（ポリオキシメチレン樹脂）を選択することができる。
【００２７】
また、上部連結補強部３６の左右には、給水ユニット（不図示）や乾燥フィルタユニット３７などが取り付けられる。図示しない給水ユニットは、給水管（不図示）、給水ホース接続口１８ｆ（図２参照）および風呂水ホース接続口１８ｇ（図２参照）に接続される洗剤給水電磁弁、風呂水を吸い上げるポンプなどである。
【００２８】
図２は、本発明に係る洗濯乾燥機の適用例としてのドラム式洗濯機の外観斜視図である。図２に示すように、前面上パネル１２の湾曲部１２ｂおよび前面下パネル１３の湾曲部１３ｂは、ドア２５の右端の位置から側面パネル１４Ａに向けて湾曲して形成されている。また、前面上パネル１２の湾曲部１２ｃおよび前面下パネル１３の湾曲部１３ｃは、ドア２５の左端の位置から側面パネル１４Ｂ（図１参照）に向けて湾曲して形成されている。このように、本実施形態のドラム式洗濯機１は、前面パネル１１が、ドア２５の幅の位置から側面パネル１４Ａ，１４Ｂに向けて（左右に向けて）大きく湾曲した形状を有している。
【００２９】
また、上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。また、上面パネル１８の外周縁部は、前面パネル１１の上端縁部と、側面パネル１４Ａの上端縁部と、側面パネル１４Ｂ（図１参照）の上端縁部と、背面パネル１６の上端縁部と、重なるように構成されている。
【００３０】
筐体１０の内部には、対象物（布類）を乾燥させる乾燥風が通る送風路（不図示）が設けられている。その送風路上には、埃を捕集するための乾燥フィルタユニット３７が着脱自在に配置されている。
【００３１】
＜乾燥フィルタユニットの取付部の構成＞
以下、図３Ａ乃至図３Ｄを参照して、乾燥フィルタユニット３７の取付部３８の構成について説明する。図３Ａは、乾燥フィルタユニット３７と取付部３８の構成図である。図３Ｂは、取付部３８の概略斜視図である。図３Ｃは、取付部３８の部分断面図である。図３Ｄは、後記する固定フィルタ９１と内部フィルタ９２との間の封止状態の説明図である。
【００３２】
図３Ａに示すように、ドラム式洗濯機１のトップパネルには、乾燥フィルタユニット３７を取り付けるための取付部３８が設けられている。取付部３８は、上面と後面とに開口部が形成された中空な箱型の形状を呈しており、乾燥フィルタユニット３７を収納することが可能な空間を有している。なお、図３Ａは、取付部３８から乾燥フィルタユニット３７を取り外した状態を示している。
【００３３】
図３Ｂは、取付部３８の概略構成を示している。図３Ｂに示すように、取付部３８は、上流側から乾燥風を乾燥フィルタユニット３７に流入させる流入口３８ａと、乾燥フィルタユニット３７からの乾燥風を下流側のヒータ（不図示）へと流出させる流出口３８ｂと、を有している。なお、流出口３８ｂの下流側には、ファン（不図示）やヒータ（不図示）等が設けられている。本実施形態では、流入口３８ａは、取付部３８の後面側に設けられており、一方、流出口３８ｂは、取付部３８の右面側に設けられている。したがって、流出口３８ｂは、流入口３８ａに対して略直角な方向に配置されている。
【００３４】
流入口３８ａには、仕切り板３９が取り付けられている。流出口３８ｂには、固定フィルタ９１と内部フィルタ９２とが取り付けられている。固定フィルタ９１と内部フィルタ９２とは、それぞれ、乾燥風に含まれている埃を捕集するためのリントフィルタ（不図示）が取り付けられたフィルタ部材である。固定フィルタ９１は、図示せぬねじによってドラム式洗濯機１の筺体に締結されている。一方、内部フィルタ９２は、容易に取り外すことができるように、図示せぬ係合機構によってドラム式洗濯機１の筺体に着脱自在に取り付けられている。
図３Ｃは、取付部３８の構成を示す部分断面図である。図３Ｃに示すように、内部フィルタ９２は、固定フィルタ９１の内壁面を覆うように、配置されている。
【００３５】
図３Ｄは、図３Ｃに示す領域Ａ１の拡大図である。図３Ｄに示すように、固定フィルタ９１の内壁面には溝部が設けられており、その溝部の内部にパッキン９３が収納されている。一方、内部フィルタ９２にはパッキン９３に対向するようにリブ９４が設けられている。内部フィルタ９２が流出口３８ｂに取り付けられた状態において、リブ９４は、パッキン９３に当接し、固定フィルタ９１の内壁面側に向けてパッキン９３を押しつぶす。これによって、固定フィルタ９１と内部フィルタ９２との間が封止される。その結果、乾燥風は、流出口３８ｂにおいて、漏れることなく、固定フィルタ９１のリントフィルタ（不図示）と内部フィルタ９２のリントフィルタ（不図示）とを通過する。これにより、ドラム式洗濯機１は、乾燥風に含まれている埃を確実に捕集することができる。
【００３６】
ドラム式洗濯機１の流出口３８ｂ（すなわち、乾燥フィルタユニット３７を通過した乾燥風を下流側に流出させる流出口３８ｂ）には、固定フィルタ９１と内部フィルタ９２との２つのフィルタ部材が設けられており、固定フィルタ９１を流出口３８ｂに固定配置するとともに、内部フィルタ９２を流出口３８ｂに対して着脱自在に配置している。
【００３７】
流出口３８ｂに２つのフィルタ部材を設ける理由は、以下の通りである。すなわち、仮に、固定フィルタ９１だけしか流出口３８ｂに設けられておらず、その固定フィルタ９１が清掃できるように着脱自在な構成になっていたとする。この構成では、例えば、ユーザが流出口３８ｂから固定フィルタ９１を取り外して固定フィルタ９１を清掃した後、その固定フィルタ９１を流出口３８ｂに取り付けることを忘れてしまった場合に、乾燥フィルタユニット３７で捕集されなかった埃が流出口３８ｂの下流側に流出してしまう。下流側には、乾燥風を加熱して乾燥させるヒータ（不図示）が配置されている。そのため、乾燥フィルタユニット３７で捕集されなかった埃が下流側に流出すると、意図せぬ不具合が発生する可能性がある。
【００３８】
そこで、本実施形態では、流出口３８ｂに固定フィルタ９１と内部フィルタ９２との２つのフィルタ部材を設け、固定フィルタ９１をドラム式洗濯機１の筺体に固定するようにしている。これにより、ドラム式洗濯機１は、たとえユーザがフィルタ部材（本実施形態では内部フィルタ９２）を流出口３８ｂに取り付けることを忘れてしまったとしても、流出口３８ｂの下流側に埃が流出することを抑制することができるため、意図せぬ不具合が発生することを抑制することができる。
【００３９】
固定フィルタ９１は、ドラム式洗濯機１の筺体にねじ（不図示）で締結されている。内部フィルタ９２は、ドラム式洗濯機１の筺体に対して着脱自在に取り付けられている。内部フィルタ９２のフィルタは、固定フィルタ９１のフィルタよりも網目が細かくなっている。これにより、ドラム式洗濯機１は、仮に内部フィルタ９２の取り付けが忘れられることがあったとしても埃を固定フィルタ９１で捕集するとともに、内部フィルタ９２が取り付けられた状態において、乾燥用のヒータ（不図示）へと向かう乾燥風の送風効率を低下させることなく、細かな埃を内部フィルタ９２で効率よく捕集することができる。そのため、このようなドラム式洗濯機１は、リントフィルタの清掃性を確保しつつ、乾燥効率低下を抑えることができる。
【００４０】
固定フィルタ９１の内壁面において、フィルタの周囲には、環状の弾性部材であるパッキン９３が配置されている。一方、内部フィルタ９２の外壁面において、リントフィルタ（不図示）の周囲には、パッキン９３に当接する突起状のリブ９４が設けられている。これにより、ドラム式洗濯機１は、固定フィルタ９１の内壁面と内部フィルタ９２の外壁面との間を封止している。
【００４１】
＜乾燥フィルタユニットの構成＞
以下、図４等を参照して、乾燥フィルタユニット３７の構成について説明する。図４は、乾燥フィルタユニット３７の外観斜視図である。図４に示すように、乾燥フィルタユニット３７は、埃を捕集するためのリントフィルタ４１（図７参照）が内部に設けられたフィルタ部４０と、リントフィルタ４１（図７参照）を清掃する清掃手段が内部に設けられたフタ部５０とを有している。フタ部５０は、フィルタ部４０の上に配置されている。フィルタ部４０とフタ部５０とは、相対的に移動可能な構成になっている。本実施形態では、フィルタ部４０がフタ部５０に対して前後方向に移動可能な構成になっているものとして説明する。フィルタ部４０は、図５（ａ）乃至図５（ｄ）に示すように、フタ部５０に対して前後方向に移動させることにより、フタ部５０から取り外すことができる。フィルタ部４０とフタ部５０との当接部分には、隙間を封止する封止機構６０（図８参照）が設けられている。
【００４２】
フィルタ部４０の前面には、ユーザによって把持される取っ手８１が設けられている。取っ手８１は、下端部がフィルタ部４０のフレーム４２に軸支されており、上側部分が回動する構造になっている。図５（ａ）及び図５（ｂ）に示すように、取っ手８１は、略鉛直方向から略水平方向の範囲で上端部を回動させることができる。取っ手８１は、略鉛直方向に立った状態にすることで、フレーム４２に設けられた収納部に収納することができる。取っ手８１には爪部が設けられているとともに、収納部の内部には取っ手８１の爪部に係合する係合部が設けられている。取っ手８１の爪部と収納部の係合部とが係合することにより、取っ手８１は、収納部に収納された状態で保持される。このような取っ手８１は、仮に略水平方向に配置された状態（つまり、収納部に収納することが忘れられた状態）で、乾燥フィルタユニット３７が取付部３８に取り付けられることがあったとしても、乾燥フィルタユニット３７が取付部３８に取り付けられる際に自動的に収納部に収納されてその状態で保持されるため、周囲の部材に衝突して破損することを抑制することができる。
【００４３】
乾燥フィルタユニット３７は、フタ部５０とフィルタ部４０との相対的な移動に伴って、後記するパッキン６１（図８参照）に対する後記するリブ６６（図８参照）の押し付け量を変化させる押付機構７０を有している。本実施形態では、押付機構７０は、フィルタ部４０に設けられたガイド部７１と、フタ部５０に設けられた挿入部７２とで構成されている。
【００４４】
図５は、フィルタ部４０とフタ部５０の動作説明図である。図５は、フタ部５０からフィルタ部４０を取り外す場合の動作例を示している。この動作は、例えば、フィルタ部４０に設けられたリントフィルタ４１（図７参照）で捕集された埃を廃棄する場合に行われる。
【００４５】
図５（ａ）に示す例では、取っ手８１は、略鉛直方向に起こされて、フィルタ部４０に設けられた収納部に収納された状態になっている。図５（ｂ）に示すように、ユーザは、取っ手８１を略水平方向に倒す。そして、図５（ｃ）に示すように、ユーザは、取っ手８１を把持して、取っ手８１を前方に引く。これによって、フィルタ部４０がフタ部５０に対して相対的に移動する。その結果、図５（ｄ）に示すように、フィルタ部４０がフタ部５０の内部から外部に引き出されて、乾燥フィルタユニット３７がフィルタ部４０とフタ部５０とに分離する。
【００４６】
図６は、乾燥フィルタユニット３７の部分断面図である。図６は、乾燥フィルタユニット３７の右側部分を切断して取り除いた形状を示している。また、図６は、押付機構７０を構成するガイド部７１と挿入部７２の形状の一例を示している。押付機構７０の動作原理については、図１１を用いて後述する。
【００４７】
図７は、乾燥フィルタユニット３７の部分断面図である。図７は、乾燥フィルタユニット３７の前側部分を切断して取り除いた形状を示している。図７に示すように、フィルタ部４０は、リントフィルタ４１を有している。本実施形態では、フィルタ部４０は、底面部に設けられたリントフィルタ４１ａと、右側面部に設けられた（立設された）リントフィルタ４１ｂとを有している。
【００４８】
フィルタ部４０の底面部は、右側と左側とで高さが異なるように、傾斜している。具体的には、フィルタ部４０の底面部は、取付部３８の流出口３８ｂ（図３Ｃ参照）に対向する右側が低くなり、他方側である左側が高くなっている。これにより、ドラム式洗濯機１は、乾燥フィルタユニット３７において、乾燥風を取付部３８の流出口３８ｂ（図３Ｃ参照）に向けて効率よく誘導することができる。また、ドラム式洗濯機１は、乾燥フィルタユニット３７が取り付けられる取付部３８の設計の自由度を向上させることができる。例えば、ドラム式洗濯機１は、筺体の内部において、フィルタ部４０の底面部が高くなっている部分（左側部分）の下方にスペースを確保することができるため、その部分に所望の部品を配置することができる。
【００４９】
フタ部５０は、フィルタ部４０の上面部を覆うカバー板５４を有しており、カバー板５４でフィルタ部４０の上面部を封止している。
【００５０】
図８は、フィルタ部４０とフタ部５０との間の封止状態の説明図である。図８は、図７に示す領域Ａ２の構成を拡大して示している。図８に示すように、フィルタ部４０とフタ部５０との当接部分において、フィルタ部４０のフレーム４２の上面には、溝部が設けられており、その溝部の内部にパッキン６１が収納されている。パッキン６１は、弾性を有する弾性部材である。一方、フィルタ部４０とフタ部５０との当接部分において、フタ部５０のフレーム５２にはパッキン６１に対向するようにリブ６６が設けられている。リブ６６は、パッキン６１に押し付けられる押付部である。パッキン６１とリブ６６は、フィルタ部４０とフタ部５０との当接部分を封止する封止機構６０を構成している。
【００５１】
パッキン６１は、フィルタ部４０の上面側において、上面開口部４４（図１０参照）の周囲を囲むように配置されている。一方、リブ６６は、フタ部５０の下面側と移動方向上の面である前面とにおいて、パッキン６１の配置形状に沿って突起状に設けられている。
【００５２】
リブ６６は、フィルタ部４０がフタ部５０に取り付けられることにより、パッキン６１に当接し、パッキン６１を押しつぶす。これによって、フィルタ部４０とフタ部５０との当接部分の間が封止される。その結果、乾燥風は、フィルタ部４０のリントフィルタ４１を漏れなく通過する。これにより、ドラム式洗濯機１は、乾燥風に含まれている埃をリントフィルタ４１で確実に捕集することができる。
【００５３】
図９は、フタ部５０の構成図である。図９（ａ）は、フタ部５０の斜視図であり、図９（ｂ）は、フタ部５０の正面図である。図９（ａ）及び図９（ｂ）に示すように、フタ部５０は、ブレード５１を支持する支持部５３を有している。本実施形態では、フタ部５０が、フィルタ部４０のリントフィルタ４１ａに対応してリントフィルタ４１ａの内壁面を清掃するブレード５１ａと、フィルタ部４０のリントフィルタ４１ｂに対応してリントフィルタ４１ｂの内壁面を清掃するブレード５１ｂとを有しているものとして説明する。支持部５３は、カバー板５４（図７参照）の前側部分の下面に下方に突出するように設けられている。支持部５３は、板状の形状を呈している。本実施形態では、支持部５３の下端部がフィルタ部４０の底面部の傾斜（図７参照）に対応して傾斜しているものとして説明する。
【００５４】
ブレード５１は、フィルタ部４０とフタ部５０とが相対的に移動することにより、フィルタ部４０のリントフィルタ４１の内壁面に当接し、リントフィルタ４１の内壁面に付着した埃を掻き取る。これにより、乾燥フィルタユニット３７は、捕集された埃を廃棄することができる。なお、本実施形態では、フタ部５０が例えばゴムやシリコーン等の弾性を有する弾性部材で構成されているものとして説明する。ただし、フタ部５０は、繊維状のブラシで構成することも可能である。
【００５５】
フタ部５０のフレーム５２の右端部と左端部とには、ガイド部７１が設けられている。ガイド部７１は、カバー板５４（図７参照）よりも下方に向けて突出し、外側から内側に回り込むように形成されている。
【００５６】
フタ部５０のフレーム５２には、フィルタ部４０のパッキン６１（図１０参照）に対向するように、リブ６６が設けられている。図９（ｂ）に示すように、リブ６６は、前後方向に延在するように配置された上下方向突出部６７と、横方向に延在するように配置された横方向突出部６８と、を有している。
【００５７】
図１０は、フィルタ部４０の構成図である。図１０（ａ）は、フィルタ部４０の斜視図であり、図１０（ｂ）は、フィルタ部４０の上面図である。図１０（ａ）に示すように、フィルタ部４０は、中空な箱型の形状を呈している。フィルタ部４０の底面部にはリントフィルタ４１ａが左上がりの勾配になるように設けられている。また、フィルタ部４０の右側面部にはリントフィルタ４１ｂが設けられている（立設されている）。
【００５８】
フィルタ部４０は、後面側に後面開口部４３が形成されているとともに、上面側に上面開口部４４が形成されており、後面側と上面側とが外部に開放された構造になっている。上面開口部４４は、フタ部５０に対してフィルタ部４０を着脱する際に、フタ部５０の支持部５３（図９参照）を通過させるために設けられている。フィルタ部４０の上面側は、フィルタ部４０がフタ部５０に取り付けられることで、フタ部５０のカバー板５４（図７参照）によって封止される。流入口３８ａからの乾燥風は、後面開口部４３からフィルタ部４０の内部に流入し、底面部に設けられたリントフィルタ４１ａと右側面部に設けられたリントフィルタ４１ｂを通ってフィルタ部４０の外部に流出して、流出口３８ｂを通ってヒータ（不図示）へと向かう。その際に、フィルタ部４０は、乾燥風に含まれている埃をリントフィルタ４１ａとリントフィルタ４１ｂとで捕集する。
【００５９】
フィルタ部４０のフレーム４２の右端部と左端部とには、挿入部７２が設けられている。挿入部７２は、フレーム４２の右側壁面と左側壁面とから外方向に突出するように、また、前後方向に延在するように、形成されている。
【００６０】
フィルタ部４０の前側部分には、フィルタ部４０がフタ部５０に取り付けられた状態において、フタ部５０のブレード５１（図９参照）を収納する逃げ部４５が設けられている。逃げ部４５は、フィルタ部４０がフタ部５０に取り付けられた状態において、ブレード５１に当接しない形状になっている。これにより、乾燥フィルタユニット３７は、フタ部５０のブレード５１が変形することを抑制することができる。
【００６１】
図１０（ｂ）に示すように、フィルタ部４０の上面側において、上面開口部４４の周囲を囲むようにパッキン６１が配置されている。パッキン６１は、例えばゴムやシリコーン等の弾性部材で構成されている。
【００６２】
図１１は、押付機構７０の動作原理を示す模式図である。図１１（ａ）に示すように、押付機構７０は、フィルタ部４０に設けられた挿入部７２と、フタ部５０に設けられたガイド部７１と、を有している。なお、挿入部７２とガイド部７１の実際の形状は、例えば図６に示す形状になっているが、ここでは、押付機構７０の動作原理を分かり易く説明するために、図１１に示す形状になっているものとして説明する。
【００６３】
フィルタ部４０がフタ部５０に取り付けられる場合に、挿入部７２は、ガイド部７１の内部に挿入される。その際に、挿入部７２の下面がガイド部７１の底面部の上に載る。ガイド部７１の底面部は、段差状に形成されており、挿入部７２がガイド部７１の内部に進むにつれて挿入部７２を上方に押し上げるように形成されている。
【００６４】
具体的には、挿入部７２は、ガイド部７１への挿入時にそれぞれ先端部、中間部、後端部となる挿入先端部７２ａと、途中部分７２ｂと、挿入後端部７２ｃと、を有している。挿入先端部７２ａの下面は、一部が面取りされて途中部分７２ｂ側に向けて下がる傾斜面となっている。途中部分７２ｂの下面は、略平坦面となっている。挿入後端部７２ｃの下面は、途中部分７２ｂの下面よりも低い位置に設けられた略平坦面となっている。
【００６５】
一方、ガイド部７１は、最奥部７１ａと、途中部分７１ｂと、入口部分７１ｃと、を有している。最奥部７１ａの底面部は、略平面状に形成されており、途中部分７１ｂの底面部よりも高い位置に配置されている。最奥部７１ａの底面部と途中部分７１ｂの底面部との間は、最奥部７１ａ側から途中部分７１ｂ側に向かって下がるように形成された傾斜部で連結されている。途中部分７１ｂと挿入後端部７２ｃの底面部は、略平面状に形成されており、ほぼ同じ高さの位置に配置されている。入口部分７１ｃの開口部分の底面部は、開口端部側（図の左側）に向けて下がる傾斜面となっている。
【００６６】
図１１（ｂ）に示すように、図１１（ａ）に示す状態よりも挿入部７２がガイド部７１の奥側に挿入されると、挿入部７２の挿入先端部７２ａがガイド部７１の途中部分７１ｂの上に載り、挿入部７２の途中部分７２ｂがガイド部７１の入口部分７１ｃの上に載る。このとき、挿入部７２の上には、ガイド部７１との間に隙間ｔが形成される。
【００６７】
図１１（ｃ）に示すように、図１１（ｂ）に示す状態よりも挿入部７２がガイド部７１の奥側に挿入されると、挿入部７２の挿入先端部７２ａがガイド部７１の最奥部７１ａの上に載り、挿入部７２の挿入後端部７２ｃがガイド部７１の入口部分７１ｃの上に載る。このとき、ガイド部７１が挿入部７２を上方向に押し上げるため、図１１（ｂ）に示す状態よりもフィルタ部４０が上昇する。その結果、隙間ｔ（図１１（ｂ）参照）がゼロになる。
【００６８】
また、このとき、フィルタ部４０が上昇するため、フィルタ部４０に設けられたパッキン６１（図８参照）が上昇する。その結果、フタ部５０に設けられたリブ６６（図８参照）がパッキン６１（図８参照）に押し付けられる。これによって、フィルタ部４０とフタ部５０との当接部分が封止される。
【００６９】
図１２は、パッキン６１とリブ６６との封止状態の説明図である。図１２（ａ）は、パッキン６１とリブ６６のみを残して他の構成要素を削除した状態における乾燥フィルタユニット３７の構成を示したものである。図１２（ａ）は、パッキン６１の配置形状とリブ６６の形状を示している。図１２（ｂ）は、リブ６６をパッキン６１に押し付けた状態において、図１２（ａ）に示すＸ１−Ｘ１線に沿って切断した場合のパッキン６１の横方向配置部６３とリブ６６の横方向突出部６８との当接状態を示している。図１２（ｃ）は、リブ６６をパッキン６１に押し付けた状態において、図１２（ａ）に示す矢印Ｘ２の方向から見たパッキン６１の前後方向配置部６２とリブ６６の上下方向突出部６７との当接状態を示している。
【００７０】
図１２（ａ）に示すように、パッキン６１は、上面視において略コ字状の形状で配置されている。また、パッキン６１は、側面視において中間部分である横方向配置部６３が他の部分（前後方向配置部６２）よりも高くなるように配置されている。リブ６６は、そのパッキン６１に対向する形状に形成されている。すなわち、リブ６６は、中間部分である横方向突出部６８が他の部分（上下方向突出部６７）よりも高くなるように形成されている。
【００７１】
図１２（ｂ）に示すように、リブ６６をパッキン６１に押し付けた状態において、リブ６６の横方向突出部６８は、パッキン６１の横方向配置部６３を前側（図の左側）に向けて押し付ける。
【００７２】
図１２（ｃ）に示すように、リブ６６をパッキン６１に押し付けた状態において、リブ６６の上下方向突出部６７は、パッキン６１の前後方向配置部６２を下側に向けて押し付ける。
【００７３】
側面視においてパッキン６１の中間部分（横方向配置部６３）を他の部分（前後方向配置部６２）よりも高い位置に配置する理由は、以下の通りである。すなわち、仮に、パッキン６１とリブ６２とが図１３に示す比較例のフィルタ部１４０のパッキン１６１とフタ部１５０のリブ１６２のような形状になっていたとする。比較例のフィルタ部１４０は、本実施形態のフィルタ部４０と比較すると、パッキン６１の代わりに、パッキン１６１を有する点で相違している。比較例のフタ部１５０は、本実施形態のフタ部５０と比較すると、リブ６６の代わりに、リブ１６２を有する点で相違している。図１３は、比較例に係るパッキン１６１とリブ１６２との封止状態の説明図である。
【００７４】
図１３（ａ）に示す例では、比較例に係るパッキン１６１は、各部位の高さが同一の高さになるように、フレーム１４２に保持されている。比較例に係るリブ１６２は、そのパッキン１６１を好適に押圧することができるように、各部位が同じ突出量でカバー板５４（図７参照）から下方向に突出するように形成される。
【００７５】
しかしながら、このような比較例の構成は、図１３（ｂ）に示すように、フィルタ部１４０がフタ部１５０に取り付けられる際に、フタ部１５０のリブ１６２がフィルタ部１４０のフレーム１４２に衝突してリブ１６２やフレーム１４２が破損する可能性がある。
【００７６】
これに対し、本実施形態では、側面視においてパッキン６１の中間部分（横方向配置部６３）を他の部分（前後方向配置部６２）よりも高い位置に配置しているため、フタ部５０のリブ６６がフィルタ部４０のフレーム４２に衝突することを防止してリブ６６やフレーム４２が破損することを防止することができる。
【００７７】
＜乾燥フィルタユニット及び洗濯乾燥機の主な特徴＞
（１）本実施形態に係る洗濯乾燥機としてのドラム式洗濯機１は、送風路（不図示）の経路上に着脱自在に配置された乾燥フィルタユニット３７を備えている。乾燥フィルタユニット３７は、埃を捕集するためのリントフィルタ４１が設けられたフィルタ部４０と、リントフィルタ４１を清掃するためのブレード５１が設けられたフタ部５０と、有している。フィルタ部４０とフタ部５０とは、相対的に移動可能な構成になっている。本実施形態では、フィルタ部４０がフタ部５０に対して前後方向に移動可能な構成になっている。乾燥フィルタユニット３７は、フタ部５０に対してフィルタ部４０を相対的に移動させることで、ブレード５１によってフィルタ部４０の内部に溜まった埃等を清掃することができる。
【００７８】
フィルタ部４０とフタ部５０との当接部分には、隙間を封止する封止機構６０が設けられている。封止機構６０は、弾性部材であるパッキン６１（図１０参照）と、パッキン６１に押し付けられる押付部としてのリブ６６（図９（ｂ）参照）と、で構成されている。パッキン６１とリブ６６とが設けられた箇所が、フィルタ部４０とフタ部５０との当接部分である。
【００７９】
フィルタ部４０は、後面と上面とに開口部４３，４４（図１０参照）が形成された中空な箱型の形状を呈している。パッキン６１は、フィルタ部４０の上面側において、開口部４４（図１０参照）の周囲を囲むように配置されている。リブ６６は、フタ部５０において、そのパッキン６１に対向する位置に設けられている。フィルタ部４０がフタ部５０に取り付けられると、フタ部５０の下面側において、フィルタ部４０のフレーム４２（図１０参照）に対して、リブ６６の上下方向突出部６７（図９（ｂ）参照）がパッキン６１を上方から下方に押し付ける。また、フタ部５０の前面側において、フィルタ部４０のフレーム４２（図１０参照）に対して、リブ６６の横方向突出部６８（図９（ｂ）参照）がパッキン６１を後方から前方に押し付ける。これにより、乾燥フィルタユニット３７は、フィルタ部４０とフタ部５０との当接部分を封止する。このような乾燥フィルタユニット３７は、フィルタ部４０とフタ部５０との当接部分の間から乾燥風が漏れることを抑制することができる。そのため、乾燥フィルタユニット３７を搭載するドラム式洗濯機１は、乾燥効率の低下を抑制することができる。
【００８０】
（２）乾燥フィルタユニット３７の封止機構６０は、フィルタ部４０とフタ部５０との相対的な移動に伴って、パッキン６１に対するリブ６６の押し付け量を変化させる押付機構７０を有している。このような乾燥フィルタユニット３７は、フィルタ部４０がフタ部５０に取り付けられることによって、リブ６６をパッキン６１に強く押し付けることができる。
【００８１】
（３）パッキン６１は、上面視において略コ字状の形状で配置されているとともに、側面視において中間部分である横方向配置部６３が他の部分（前後方向配置部６２）よりも高くなるように配置されている（図１２参照）。リブ６６は、そのパッキン６１に対向する形状に形成されている（図１２参照）。このような乾燥フィルタユニット３７は、パッキン６１の前後方向配置部６２に対して上下方向の押圧を加えるとともに、パッキン６１の中間部分（横方向配置部６３）に対して前後方向の押圧を加えることができる。そのため、乾燥フィルタユニット３７は、パッキン６１の全域でフィルタ部４０とフタ部５０との当接部分を封止することができる。
【００８２】
（４）乾燥フィルタユニット３７は、フィルタ部４０を引き出す際にための取っ手８１を有している。取っ手８１は、乾燥フィルタユニット３７をドラム式洗濯機１に装着させるときに、自動的に元の状態（略鉛直方向に立った状態）になるように構成されている。このような取っ手８１は、仮に略水平方向に配置された状態（つまり、収納部に収納することが忘れられた状態）で、乾燥フィルタユニット３７が取付部３８に取り付けられることがあったとしても、自動的に収納部に収納されるため、周囲の部材に衝突して破損することを抑制することができる。このような乾燥フィルタユニット３７は、使い勝手を向上させることができる。
【００８３】
（５）ドラム式洗濯機１の流出口３８ｂには、固定フィルタ９１と内部フィルタ９２との２つのフィルタ部材が設けられており、固定フィルタ９１を流出口３８ｂに固定配置するとともに、内部フィルタ９２を流出口３８ｂに対して着脱自在に配置している。（図３Ｃ参照）。このようなドラム式洗濯機１は、たとえユーザが内部フィルタ９２を流出口３８ｂに取り付けることを忘れてしまったとしても、流出口３８ｂの下流側に埃が流出することを抑制することができるため、意図せぬ不具合が発生することを抑制することができる。また、ドラム式洗濯機１は、内部フィルタ９２を清掃するだけで、大半の埃を廃棄することができるため、フィルタの清掃性を向上させることができる。
【００８４】
以上の通り、本実施形態に係る洗濯乾燥機としてのドラム式洗濯機１によれば、リントフィルタの清掃性を確保しつつ、乾燥効率低下を抑えることができる。
【００８５】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【００８６】
例えば、本実施形態では、封止機構６０はパッキン６１とリブ６６とを用いる構造になっている。しかしながら、封止機構６０は、例えば図１４に示す構造に変更することができる。図１４は、変形例に係る封止構造の模式図である。図１４に示す例では、フィルタ部４０のフレーム４２が溝部４２ｄを有するとともに、フタ部５０のフレーム５２が突起部５２ｔを有しており、フレーム５２の突起部５２ｔがフレーム４２の溝部４２ｄに嵌り込むことで、フィルタ部４０とフタ部５０の当接部分を封止する構造になっている。
【符号の説明】
【００８７】
１    ドラム式洗濯機（洗濯乾燥機）
３    外槽
３ａ    有底円筒状の外槽本体
３ｂ    外槽カバー
３ｓ    開口部
４    回転ドラム（内槽）
４ａ    貫通孔
４ｂ    開口部
４ｃ    リフタ
５    ダンパ
１０    筐体
１１    前面パネル（前板）
１２    前面上パネル
１２ａ    平坦部
１２ｂ，１２ｃ    湾曲部
１３    前面下パネル
１３ａ    平坦部
１３ｂ，１３ｃ    湾曲部
１３ｄ    フタ
１４Ａ，１４Ｂ    側面パネル（側板）
１４ａ    湾曲部
１４ｂ    手掛け部
１４ｃ    補強用の凹部（リブ）
１６    背面パネル（背板）
１６Ａ    背面上パネル
１６Ｂ    背面下パネル
１６ａ，１６ｂ    湾曲部
１７    ベース
１８    上面パネル（上板）
１８ｆ    給水ホース接続口
１８ｇ    風呂水ホース接続口
２０    洗剤投入部
２２    操作パネル
２５    ドア
３１    前面上部補強板
３１ａ    板部
３１ｂ，３１ｃ    曲げ部
３１ｄ    切欠部
３２    前面下部補強板
３２ａ    板部
３２ｂ，３２ｃ    曲げ部
３２ｄ    切欠部
３３，３４    下部補強支持板
３３ａ    上部連結部
３３ｂ    下部連結部
３４ａ    上部連結部
３４ｂ    下部連結部
３５    上部補強板
３５ａ    板部
３５ｂ，３５ｃ    曲げ部
３６    上部連結補強部
３７    乾燥フィルタユニット
３８    取付部
３８ａ    流入口
３８ｂ    流出口
３９    仕切り板
４０    フィルタ部
４１（４１ａ，４１ｂ）    リントフィルタ
４２，５２    フレーム
４２ｄ    溝部
４３    後面開口部（流入口）
４４    上面開口部
４５    逃げ部
５０    フタ部
５１（５１ａ，５１ｂ）    ブレード（清掃手段）
５２ｔ    突出部
５３    支持部
５４    カバー板
６０    封止機構
６１    パッキン（弾性部材）
６２    前後方向配置部
６３    横方向配置部（中間部分）
６６    リブ（押付部）
６７    上下方向突出部
６８    横方向突出部
７０    押付機構
７１    ガイド部
７１ａ    最奥部
７１ｂ    途中部分
７１ｃ    入口部分
７２    挿入部
７２ａ    挿入先端部
７２ｂ    途中部分
７２ｃ    挿入後端部
８１    取っ手
９１    固定フィルタ
９２    内部フィルタ（着脱フィルタ）
９３    パッキン
９４    リブ
【図１】
2019037604.tif 000003
【図２】
2019037604.tif 000004
【図３Ａ】
2019037604.tif 000005
【図３Ｂ】
2019037604.tif 000006
【図３Ｃ】
2019037604.tif 000007
【図３Ｄ】
2019037604.tif 000008
【図４】
2019037604.tif 000009
【図５】
2019037604.tif 000010
【図６】
2019037604.tif 000011
【図７】
2019037604.tif 000012
【図８】
2019037604.tif 000013
【図９】
2019037604.tif 000014
【図１０】
2019037604.tif 000015
【図１１】
2019037604.tif 000016
【図１２】
2019037604.tif 000017
【図１３】
2019037604.tif 000018
【図１４】
2019037604.tif 000019